(57)【要約】      （修正有）【課題】既存の木製足場板や鋼製板などを幅木として、仮設足場の鋼管に対し、簡単に取り付けることができ、安価に製造が可能な幅木止めクリップを提供する。【解決手段】クリップ本体１が１本のばねワイヤを曲折して形成され、クリップ本体１の上部に上半円形嵌着部２が鋼管の外径より僅かに小さい曲率で半円形に曲げて形成され、クリップ本体１の下部に下半円形嵌着部５が鋼管の外径より僅かに小さい曲率で半円形に曲げて形成される。上半円形嵌着部２と下半円形嵌着部３を鋼管の外周部に嵌着し、クリップ本体１の直線部４と鋼管との間に幅木を挟むように挟持して固定する。【選択図】図１
0003157172.tif 000002
【実用新案登録請求の範囲】
【請求項１】
幅木を仮設足場の鋼管に対し固定する幅木止めクリップにおいて、
クリップ本体が１本のばねワイヤを曲折して形成され、該クリップ本体の上部に上半円形嵌着部が該鋼管の外径より僅かに小さい曲率で半円形に曲げて形成され、該クリップ本体の下部に下半円形嵌着部が該鋼管の外径より僅かに小さい曲率で半円形に曲げて形成され、
該クリップ本体の該上半円形嵌着部と下半円形嵌着部を鋼管の外周部に嵌着し、該クリップ本体の直線部と該鋼管との間に該幅木を挟むように挟持して該幅木を固定することを特徴とする幅木止めクリップ。
【請求項２】
前記上半円形嵌着部または下半円形嵌着部の何れか一方が、前記ばねワイヤの両側端部を半円形に曲折して形成されることを特徴とする請求項１記載の幅木止めクリップ。
【請求項３】
前記ばねワイヤの両側端部が、相反方向で且つ半円形に曲げて、前記上半円形嵌着部または下半円形嵌着部が形成されることを特徴とする請求項２記載の幅木止めクリップ。
【請求項４】
前記ばねワイヤの両側端部が、同じ方向で且つ半円形に曲げて、前記上半円形嵌着部または下半円形嵌着部が形成されることを特徴とする請求項２記載の幅木止めクリップ。
【考案の詳細な説明】
【技術分野】
【０００１】
本考案は、建築工事現場、土木工事現場などで使用される仮設足場において、その仮設足場上の布板に沿って取り付けられる幅木用の幅木止めクリップに関する。
【背景技術】
【０００２】
鋼管を用いて建築工事現場などに組み立てられる仮設足場には、周知のように、作業者の足場として、通常、布板が水平に組み付けられ、作業者がその上を歩き、或いは工具類を載せることができるようになっている。
【０００３】
また、このような布板から作業者の落下や工具類の落下を防止するために、布板の側端部に、その長手方向に沿って幅木を取り付けることが要請されている。
【０００４】
そこで、従来、布板の側端部に長手方向に沿って取り付けられる仮設足場用幅木が下記特許文献１などにより提案されている。
【先行技術文献】
【特許文献】
【０００５】
【特許文献１】特開２００７−１２００６５号公報
【考案の概要】
【考案が解決しようとする課題】
【０００６】
従来のこの種の仮設足場用幅木は、布板の側端部に長手方向に沿って固定されるように構成され、その位置で布板に対し垂直に固定できるものの、幅木の取付位置には、２個のフック部材が固定ボルトにより固定可能に設けられている。
【０００７】
そして、幅木を布板の側端部に固定する場合、２個のフック部材の固定ボルトを緩めた状態で、フック部材の下部に突出したフックを布板の側端部に係止させ、その状態でフック部材の上部から下部のフックに向けて捻じ込まれた固定ボルトを締め付けることにより、フックを上昇させ、フックと幅板の下縁部間で布板の縁部を挟持するように固定していた。
【０００８】
しかし、このような幅木には予めフック部材が取り付けられるため、使用者は専用の幅木を必要とし、また、金属加工により形成されるフック部材の製作にはある程度の製造コストがかかるため、さらに安価に製造可能な幅木止めクリップが要望されている。
【０００９】
一方、幅木を安価な部材により鋼管に対し固定する方法として、番線（針金）を鋼管と幅木間に巻回して幅木を固定することも行なわれているが、番線は一度のみの使用となるので、幅木を外す際に番線が廃棄物となってしまう問題が生じる。
【００１０】
本考案は、上述の課題を解決するものであり、既存の木製足場板や鋼製板などを幅木として、仮設足場の鋼管に対し、簡単に取り付けることができ、安価に製造が可能な幅木止めクリップを提供することを目的とする。
【課題を解決するための手段】
【００１１】
本考案の請求項１の幅木止めクリップは、幅木を仮設足場の鋼管に対し固定する幅木止めクリップにおいて、クリップ本体が１本のばねワイヤを曲折して形成され、該クリップ本体の上部に上半円形嵌着部が該鋼管の外径より僅かに小さい曲率で半円形に曲げて形成され、該クリップ本体の下部に下半円形嵌着部が該鋼管の外径より僅かに小さい曲率で半円形に曲げて形成され、該クリップ本体の上半円形嵌着部と下半円形嵌着部を鋼管の外周部に嵌着し、該クリップ本体の直線部と該鋼管との間に該幅木を挟むように挟持して幅木を固定することを特徴とする。
【００１２】
この考案によれば、仮設足場上の布板に沿って布板の側端部に幅木を配置して固定する場合、当該仮設足場の２本の縦鋼管に対し、幅木の長さより少し狭い間隔で２個の幅木止めクリップを、先ず、その下半円形嵌着部を鋼管の下部に嵌着させ、次に、幅木を幅木止めクリップ内に支持させた状態で、上部の上半円形嵌着部を鋼管の上部に嵌着させるだけの簡単な作業により、仮設足場上の布板に沿って布板の側端部に、幅木を簡単に固定することができる。
【００１３】
また、幅木を仮設足場から外す場合も、幅木止めクリップを鋼管から簡単に外すことができる。さらに、この幅木止めクリップは、１本のばねワイヤを曲折して形成されるので、非常に安価に製造することができる。また、この幅木止めクリップは、繰り返し使用することができるので、従来の番線のように、幅木は外した後に、廃棄物を発生させることもない。
【００１４】
請求項２の考案は、上記請求項１の幅木止めクリップにおいて、上記上半円形嵌着部または下半円形嵌着部の何れか一方が、ばねワイヤの両側端部を半円形に曲折して形成されることを特徴とする。
【００１５】
また、請求項３の考案は、上記請求項２の幅木止めクリップにおいて、上記ばねワイヤの両側端部が、相反方向で且つ半円形に曲げて、上記上半円形嵌着部または下半円形嵌着部が形成されることを特徴とする。
【００１６】
また、請求項４の考案は、上記請求項２の幅木止めクリップにおいて、上記ばねワイヤの両側端部が、同じ方向で且つ半円形に曲げて、上半円形嵌着部または下半円形嵌着部が形成されることを特徴とする。
【００１７】
この考案によれば、１本のばねワイヤの両側端部を、上半円形嵌着部または下半円形嵌着部として半円形に曲げ、その中間部を下半円形嵌着部または上半円形嵌着部として半円形に曲げるだけの簡単な曲げ加工のみで、幅木止めクリップを簡単に製造することができる。
【考案の効果】
【００１８】
本考案の幅木止めクリップによれば、既存の木製足場板や鋼製板などを幅木として仮設足場の鋼管に対し、簡単に取り付けることができ、幅木止めクリップは１本のばねワイヤを曲げるだけで、簡単に且つ安価に製造することができる。
【図面の簡単な説明】
【００１９】
【図１】本考案の第１実施形態の幅木止めクリップの斜視図である。
【図２】同幅木止めクリップの平面図である。
【図３】同幅木止めクリップの正面図である。
【図４】同幅木止めクリップの右側面図である。
【図５】第２実施形態の幅木止めクリップの斜視図である。
【図６】同幅木止めクリップの平面図である。
【図７】同幅木止めクリップの正面図である。
【図８】同幅木止めクリップの右側面図である。
【図９】第３実施形態の幅木止めクリップの斜視図である。
【図１０】同幅木止めクリップの平面図である。
【図１１】同幅木止めクリップの正面図である。
【図１２】同幅木止めクリップの右側面図である。
【考案を実施するための形態】
【００２０】
以下、本考案の一実施形態を図面に基づいて説明する。図１〜図４は第１実施形態の幅木止めクリップを示しており、この幅木止めクリップは、仮設足場上の布板Ａに沿って取り付けられる幅木Ｈを固定保持するために、仮設足場の縦の鋼管Ｐに対し取り付けて使用する。
【００２１】
この幅木止めクリップは、基本的には、図１〜図４に示すように、クリップ本体１が１本のばねワイヤを曲折して形成され、クリップ本体１の上部に上半円形嵌着部２、３が鋼管Ｐの外径より僅かに小さい曲率で半円形に曲げて形成され、クリップ本体１の下部に下半円形嵌着部５が鋼管Ｐの外径より僅かに小さい曲率で半円形に曲げて形成され、上半円形嵌着部２，３と下半円形嵌着部５を鋼管Ｐの外周部に嵌着し、クリップ本体１の直線部４と鋼管Ｐとの間に生じた間隙に、幅木Ｈを挿通して鋼管Pに対し固定するように構成される。
【００２２】
クリップ本体１は、１本の例えば直径４ｍｍの硬鋼線（SWB）のばねワイヤを曲げて形成される。ばねワイヤを曲げる場合、先ず、ワイヤの両端部に上半円形嵌着部２、３を所定の曲率（鋼管Ｐの外径より僅かに小さい内径の曲率）で半円形に曲げるが、両側の上半円形嵌着部２と上半円形嵌着部３の曲げ方向は、図１に示すように、相互に逆方向とする。
【００２３】
次に、両方の直線部４，４を結ぶワイヤの中間部に、鋼管Ｐの外径より僅かに小さい内径の曲率で、下半円形嵌着部５を形成し、直線部４、４と下半円形嵌着部５を内側に略直角に曲げる。これにより、下半円形嵌着部５の内側に鋼管嵌入部７が形成される。次に、両端の上半円形嵌着部２と上半円形嵌着部３を、下半円形嵌着部５と同じ方向に２段階で約９０°の曲げ角度となるように曲折する。これにより、クリップ本体１の中間部に、縦方向の直線部４，４が両側のワイヤ部分に形成され、上半円形嵌着部２と上半円形嵌着部３の内側には、鋼管嵌入部６が形成される。このような幅木止めクリップは、１本のばねワイヤを曲折して形成されるので、非常に安価に製造することができる。
【００２４】
上記構成の幅木止めクリップは、図４に示すように、仮設足場上の布板Ａに沿って取り付けられる幅木Ｈを固定保持するために、仮設足場の縦の鋼管Ｐに対し取り付けられる。布板Ａは、仮設足場の縦の鋼管Pなどに対し図示しないクランプなどにより水平に固定されている。
【００２５】
幅木止めクリップを鋼管Ｐに取り付ける場合、クリップ本体１の上部と下部に設けて開口する鋼管嵌入部６，７に、鋼管Ｐを嵌入するように、幅木止めクリップを鋼管Ｐに対し押し付けてはめ込む。上半円形嵌着部２、上半円形嵌着部３、及び下半円形嵌着部５の内径は、鋼管Ｐの外径より僅かに小さく形成されるので、上半円形嵌着部２、上半円形嵌着部３、及び下半円形嵌着部５は鋼管Ｐの外周部に容易に嵌着し、ばねワイヤのばね弾性力によりその嵌着状態は強固に保持される。このような幅木止めクリップは、使用する幅木Ｈの長手方向の長さに応じて、２個または３個と複数の幅木止めクリップが、間隔をおいて配置された別の鋼管Ｐに取り付けられる。
【００２６】
幅木Ｈを仮設足場の鋼管Ｐに対し、布板Ａに沿って固定する場合、先ず、幅木止めクリップの下半円形嵌着部５を鋼管Ｐに嵌着させて取り付けた状態で、幅木Ｈをクリップ本体１内に入れて保持させ、その状態で、幅木止めクリップの上半円形嵌着部２と上半円形嵌着部３を鋼管Ｐの上部に嵌着させる。これにより、クリップ本体１の直線部４，４と鋼管Ｐの間に幅木Ｈが挟むように挟持され、幅木Ｈは２箇所或いは３箇所の幅木止めクリップのばね弾性力で、複数の鋼管Ｐに対し締付固定されることとなる。これにより、幅木Ｈを布板Ａの端部で長手方向に沿って固定し、安全に保持することができる。また、幅木Ｈを仮設足場から外す場合も、幅木止めクリップを鋼管Ｐから簡単に外すことができる。
【００２７】
なお、上記では１本のばねワイヤの両側端部を上半円形嵌着部２，３とし、ばねワイヤの中間部を半円形に曲げて下半円形嵌着部５としたが、それとは上下を逆にして、ばねワイヤの両側端部を下半円形嵌着部とし、上半円形嵌着部を上記下半円形嵌着部５のように、ばねワイヤの中間部を半円形に曲折して形成することもできる。
【００２８】
図５〜図８は第２実施形態の幅木止めクリップを示している。この幅木止めクリップは、上記と同様に、図５〜図８に示す如く、クリップ本体１１が１本のばねワイヤを曲折して形成され、クリップ本体１１の上部に上半円形嵌着部１２、１３が鋼管Ｐの外径より僅かに小さい曲率で半円形に曲げて形成され、クリップ本体１１の下部に下半円形嵌着部１５が鋼管Ｐの外径より僅かに小さい曲率で半円形に曲げて形成され、上半円形嵌着部１２，１３と下半円形嵌着部１５を鋼管Ｐの外周部に嵌着し、クリップ本体１１の直線部１４と鋼管Ｐとの間に生じた間隙に、幅木Ｈを挿通して鋼管Ｐに対し固定するように構成される。
【００２９】
クリップ本体１１は、１本の例えば直径４ｍｍの硬鋼線（SWB）のばねワイヤを曲げて形成される。ばねワイヤを曲げる場合、先ず、ワイヤの両端部に上半円形嵌着部１２、１３を所定の曲率（鋼管Ｐの外径より僅かに小さい内径の曲率）で半円形に曲げ、両側の上半円形嵌着部１２と上半円形嵌着部１３の曲げ方向は、図５に示すように同じ方向とする。
【００３０】
次に、両方の直線部１４，１４を結ぶワイヤの中間部に、鋼管Pの外径より僅かに小さい内径の曲率で、下半円形嵌着部１５を形成し、直線部１４、１４と下半円形嵌着部１５を内側に略直角に曲げる。これにより、下半円形嵌着部１５の内側に鋼管嵌入部１７が形成される。次に、両端の上半円形嵌着部１２と上半円形嵌着部１３を、下半円形嵌着部１５と同じ方向に２段階で約９０°の曲げ角度となるように曲折する。これにより、クリップ本体１１の中間部に、縦方向の直線部１４，１４が両側のワイヤ部分に形成され、上半円形嵌着部１２と上半円形嵌着部１３の内側には、鋼管嵌入部１６が形成される。
【００３１】
上記構成の幅木止めクリップは、仮設足場上の布板Ａに沿って取り付けられる幅木Ｈを固定保持するために、仮設足場の縦の鋼管Ｐに対し取り付けられる。幅木止めクリップを鋼管Ｐに取り付ける場合、クリップ本体１１の上部と下部に設けて開口する鋼管嵌入部１６，１７に、鋼管Ｐを嵌入するように、幅木止めクリップを鋼管Ｐに対し押し付けてはめ込む。上半円形嵌着部１２と上半円形嵌着部１３は同じ方向に曲げられているため、鋼管Ｐに対し嵌着する際、先ず上半円形嵌着部１２を鋼管Ｐの外周部に嵌着し、次に他方の上半円形嵌着部１３を鋼管Ｐの外周部に嵌着するように嵌め込む。
【００３２】
上半円形嵌着部１２、上半円形嵌着部１３、及び下半円形嵌着部１５の内径は、鋼管Ｐの外径より僅かに小さく形成されるので、上半円形嵌着部１２、上半円形嵌着部１３、及び下半円形嵌着部１５は鋼管Ｐの外周部に容易に嵌着し、ばねワイヤのばね弾性力によりその嵌着状態は強固に保持される。このような幅木止めクリップは、使用する幅木Ｈの長手方向の長さに応じて、２個または３個と複数の幅木止めクリップが、間隔をおいて配置された別の鋼管Ｐに取り付けられる。
【００３３】
幅木Ｈを仮設足場の鋼管Ｐに対し、布板Ａに沿って固定する場合、先ず、幅木止めクリップの下半円形嵌着部１５を鋼管Ｐに嵌着させて取り付けた状態で、幅木Ｈをクリップ本体１１内に入れて保持させ、その状態で、幅木止めクリップの上半円形嵌着部１２と上半円形嵌着部１３を鋼管Ｐの上部に嵌着させる。これにより、クリップ本体１１の直線部１４，１４と鋼管Ｐの間に幅木Ｈが挟むように挟持され、幅木Ｈは２箇所或いは３箇所の幅木止めクリップのばね弾性力で、複数の鋼管Ｐに対し締付固定されることとなる。これにより、幅木Ｈを布板Ａの端部で長手方向に沿って固定し、安全に保持することができる。
【００３４】
図９〜図１２は第３実施形態の幅木止めクリップを示している。この幅木止めクリップは、図９〜図１２に示すように、クリップ本体２１が１本のばねワイヤを曲折して形成され、クリップ本体２１の上部に上半円形嵌着部２２、２３が鋼管Ｐの外径より僅かに小さい曲率で半円形に曲げて形成され、クリップ本体２１の下部に下半円形嵌着部２５が鋼管Ｐの外径より僅かに小さい曲率で半円形に曲げて形成され、上半円形嵌着部２２，２３と下半円形嵌着部２５を鋼管Ｐの外周部に嵌着し、クリップ本体２１の直線部２４と鋼管Ｐとの間に生じた、側面視で略直角三角形の空間に、幅木Ｈを挿通して鋼管Ｐに対し固定するように構成される。
【００３５】
クリップ本体２１は、上記と同様に、１本の例えば直径４ｍｍの硬鋼線（SWB）のばねワイヤを曲げて形成される。ばねワイヤを曲げる場合、先ず、ワイヤの両端部に上半円形嵌着部２２、２３を所定の曲率（鋼管Ｐの外径より僅かに小さい内径の曲率）で半円形に曲げるが、両側の上半円形嵌着部２２と上半円形嵌着部２３の曲げ方向は、図９に示すように、相互に逆方向とする。
【００３６】
次に、両方の直線部２４，２４を結ぶワイヤの中間部に、鋼管Ｐの外径より僅かに小さい内径の曲率で、下半円形嵌着部２５を形成し、直線部２４、２４に対し下半円形嵌着部２５を略鋭角に内側に曲げる。このとき、図１２に示すように、下半円形嵌着部２５に延設される幅広底辺部２８が長く形成され、幅木Ｈを挿通させる間隙が側面視で略直角三角形となるように形成される。そして、この下半円形嵌着部２５の内側には鋼管嵌入部２７が形成される。
【００３７】
次に、両端の上半円形嵌着部２２と上半円形嵌着部２３を、下半円形嵌着部２５と同じ方向に略鈍角に曲折する。これにより、クリップ本体２１の中間部に直線部２４，２４が、図１２の如く、両側のワイヤ部分に傾斜して形成され、上述のように、幅木Ｈを挿通させる間隙が側面視で直線部２４，２４を斜辺とする略直角三角形となるように形成される。また、上半円形嵌着部２２と上半円形嵌着部２３の内側には、鋼管嵌入部２６が形成される。
【００３８】
上記構成の幅木止めクリップは、上記と同様に、仮設足場上の布板Ａに沿って取り付けられる幅木Ｈを固定保持するために、仮設足場の縦の鋼管Ｐに対し取り付けられる。布板Ａは、仮設足場の縦の鋼管Ｐなどに対し、図示しないクランプなどにより水平に固定されている。
【００３９】
幅木止めクリップを鋼管Ｐに取り付ける場合、クリップ本体２１の上部と下部に設けて開口する鋼管嵌入部２６，２７に、鋼管Ｐを嵌入するように、幅木止めクリップを鋼管Ｐに対し押し付けてはめ込む。上半円形嵌着部２２、上半円形嵌着部２３、及び下半円形嵌着部２５の内径は、鋼管Ｐの外径より僅かに小さく形成されるので、上半円形嵌着部２２、上半円形嵌着部２３、及び下半円形嵌着部２５は鋼管Ｐの外周部に容易に嵌着し、ばねワイヤのばね弾性力によりその嵌着状態は強固に保持される。このような幅木止めクリップは、使用する幅木Ｈの長手方向の長さに応じて、２個または３個と複数の幅木止めクリップが、間隔をおいて配置された別の鋼管Ｐに取り付けられる。
【００４０】
幅木Ｈを仮設足場の鋼管Ｐに対し、布板Ａに沿って固定する場合、先ず、幅木止めクリップの下半円形嵌着部２５を鋼管Ｐに嵌着させて取り付けた状態で、幅木Ｈをクリップ本体２１内に入れて保持させ、その状態で、幅木止めクリップの上半円形嵌着部２２と上半円形嵌着部２３を鋼管Ｐの上部に嵌着させる。これにより、幅木Ｈは、クリップ本体２１の直線部２４，２４と鋼管Ｐの間の側面視略直角三角形の空間に入るが、直線部２４，２４と鋼管Ｐの間に挟むように挟持されることとなる。また、幅木Ｈは、図１２のように、布板Ａの上方位置に斜めになった状態で、つまり、その端部が布板Ａの端部に重なり合う状態で、２箇所或いは３箇所の幅木止めクリップのばね弾性力で、複数の鋼管Ｐに対し締付固定される。これにより、幅木Ｈを布板Ａの端部で長手方向に沿って固定し、安全に保持することができる。
【００４１】
なお、上記第３実施形態の幅木止めクリップにおいて、上部両側端部に形成した上半円形嵌着部２２，２３は、上記第２実施形態の幅木止めクリップと同様に、ばねワイヤの両側端部を同じ方向に半円形状に曲げて形成することもできる。
【符号の説明】
【００４２】
１      クリップ本体
２      上半円形嵌着部
３      上半円形嵌着部
４      直線部
５      下半円形嵌着部
６      鋼管嵌入部
７      鋼管嵌入部
【図１】
0003157172.tif 000003
【図２】
0003157172.tif 000004
【図３】
0003157172.tif 000005
【図４】
0003157172.tif 000006
【図５】
0003157172.tif 000007
【図６】
0003157172.tif 000008
【図７】
0003157172.tif 000009
【図８】
0003157172.tif 000010
【図９】
0003157172.tif 000011
【図１０】
0003157172.tif 000012
【図１１】
0003157172.tif 000013
【図１２】
0003157172.tif 000014